(57)【要約】      （修正有）【課題】小型で軽量とし、銃に装着した状態で、その突出度合いを小さくすることを目的とし、特に小銃の場合、照準装置を装着したままで容易にホルスターに収納することができるという新規な照準装置を提供する。【解決手段】照準装置本体１は、電源部２と光源部３及びミラーレンズ４とからなり、このミラーレンズ４を起立及び倒して格納可能に軸支してある。上記ミラーレンズ４の起立状態で光源部への通電をＯＮとし、ミラーレンズ４を倒して格納した状態で光源部３への通電をＯＦＦとするように構成してあり、省エネルギータイプとなっている。【選択図】図１
2010249339.tif 000002
【特許請求の範囲】
【請求項１】
電源部と光源部及びミラーレンズとからなり、このミラーレンズを起立及び倒して格納可能に軸支してあることを特徴とする照準装置。
【請求項２】
上記ミラーレンズの起立状態で光源部への通電をＯＮとし、ミラーレンズを倒して格納した状態で光源部への通電をＯＦＦとするように構成してあることを特徴とする上記請求項１に記載の照準装置。
【請求項３】
上記ミラーレンズを挟んで電源部と光源部とを配置し、電源部と光源部との間に窪み部を設け、この窪み部にミラーレンズを倒して格納するようにしてある上記請求項１又は２に記載の照準装置。
【請求項４】
上記電源部の側方から、電池載置部に電池を載置してこの電池載置部を電源部に着脱自在にしてある上記請求項１乃至３の何れかに記載の照準装置。
【請求項５】
上記電源部と光源部とミラーレンズを格納する窪み部とからなる薄い照準装置本体の上記窪み部に回動軸を設け、この回動軸に巻き付けた巻きバネの弾力によりミラーレンズを保持するレンズホルダーを跳ね上げ起立させるようにしてある上記請求項１乃至４の何れかに記載の照準装置。
【請求項６】
照準装置本体の光源部側側壁にバネ弾力によりミラーレンズ側に弾圧されたレンズホルダー跳ね上げ操作部を左右方向に移動可能に設けてあり、この操作部の内部に設けた係止片とレンズホルダーに設けた係止部との係合によりレンズホルダーを格納位置に係止格納するようにしてある上記請求項１乃至５の何れかに記載の照準装置。
【請求項７】
上記操作部の内側に設けた係止片の上記ミラーレンズの回動軸側の端面を断面円弧面状としてあり、レンズホルダーの係止部の上記操作部の内部に設けた係止片と対向する接触面を傾斜面としてある上記請求項６に記載の照準装置。
【発明の詳細な説明】
【技術分野】
【０００１】
本発明は、銃、小銃、特に小銃に使用して便利な通称ドットサイトと云われる照準装置に関する。
【背景技術】
【０００２】
銃、小銃等に装着して使用される照準装置は公知である。この公知の照準装置は、装置内に発光体を設け、この発光体から発行する光を装置内に設けたミラーレンズに投射しこのミラーレンズに現出する焦点光を照準点とするものである（例えば特許文献１，２）。
【先行技術文献】
【特許文献】
【０００３】
【特許文献１】実開平６−４０９１３号公報
【特許文献２】特開平１０−３１８７００号公報
【発明の概要】
【発明が解決しようとする課題】
【０００４】
しかしながら、上記特許文献の従来技術は、照準装置が全て筒状に構成され、筒内に対物レンズ、接眼レンズ並びにミラーレンズが収められるという構成であり、常にこの筒状の照準装置が銃の上部に突出して装着されるという課題があり、特に小銃の場合、照準装置が邪魔になり、ホルスターに容易に収納できないという課題がある。
【課題を解決するための手段】
【０００５】
上記課題を解決するために、本発明は、小型で軽量とし、銃に装着した状態で、その突出度合いを小さくすることを目的とし、特に小銃の場合、照準装置を装着したままで容易にホルスターに収納することができるという新規な照準装置を提供するものである。
そのために、本発明照準装置は、電源部と光源部及びミラーレンズとからなり、このミラーレンズを起立及び倒して格納可能に軸支してあることを特徴とするものである。
【０００６】
また、本発明照準装置は、上記ミラーレンズの起立状態で光源部への通電をＯＮとし、ミラーレンズを倒して格納した状態で光源部への通電をＯＦＦとするように構成してあることを特徴とするものである。
さらに、本発明照準装置は、上記ミラーレンズを挟んで電源部と光源部とを配置し、電源部と光源部との間に窪み部を設け、この窪み部にミラーレンズを倒して格納するようにしてある。
【０００７】
また、本発明照準装置は、上記電源部の側方から、電池載置部に電池を載置してこの電池載置部を電源部に着脱自在にしてある。
さらに、本発明照準装置は、上記電源部と光源部とミラーレンズを格納する窪み部とからなる薄い照準装置本体の上記窪み部に回動軸を設け、この回動軸に巻き付けた巻きバネの弾力によりミラーレンズを保持するレンズホルダーを跳ね上げ起立させるようにしてある。
【０００８】
また、本発明照準装置は、照準装置本体の光源部側側壁にバネ弾力によりミラーレンズ側に弾圧されたレンズホルダー跳ね上げ操作部を左右方向に移動可能に設けてあり、この操作部の内部に設けた係止片とレンズホルダーに設けた係止部との係合によりレンズホルダーを格納位置に係止格納するようにしてある。
さらに、本発明照準装置は、上記操作部の内側に設けた係止片の上記ミラーレンズの回動軸側の端面を断面円弧面状としてあり、レンズホルダーの係止部の上記操作部の内部に設けた係止片と対向する接触面を傾斜面としてある。
【発明の効果】
【０００９】
本発明の照準装置は、電源部と光源部及びミラーレンズとからなり、このミラーレンズを起立及び倒して格納可能に軸支してあることを特徴とするものであるから、小型で軽量とし、銃に装着した状態でミラーレンズを倒して格納してあれば、その突出度合いを小さくでき、特に小銃の場合、照準装置を装着したままで、ホルスターに容易に収納できるという効果がある。
【００１０】
本発明の照準装置は、上記ミラーレンズの起立状態で光源部への通電をＯＮとし、ミラーレンズを倒して格納した状態で光源部への通電をＯＦＦとするように構成してあることを特徴とするものであるから、照準装置の使用時だけ、光源部への通電を行い、ミラーレンズを倒して格納してある状態では、通電を行わないから省エネルギータイプにすることができ、エネルギーを有効に使用できる効果がある。
【００１１】
本発明の照準装置は、上記ミラーレンズを挟んで電源部と光源部とを配置し、電源部と光源部との間に窪み部を設け、この窪み部にミラーレンズを倒して格納するようにしてあるから、照準装置全体として薄くし、特にミラーレンズの格納状態ではきわめて薄くすることができ、銃に装着した状態でもその突出度合いをきわめて小さくできた効果がある。
【００１２】
本発明の照準装置は、上記電源部の側方から、電池載置部に電池を載置してこの電池載置部を電源部に着脱自在にしてあるから、電池の交換を簡単にできるという効果がある。
また、本発明の照準装置は、上記電源部と光源部とミラーレンズを格納する窪み部とからなる薄い照準装置本体の上記窪み部に回動軸を設け、この回動軸に巻き付けた巻きバネの弾力によりミラーレンズを保持するレンズホルダーを跳ね上げ起立させるようにしてあるから、ミラーレンズの跳ね上げ起立を確実にする効果がある。
【００１３】
本発明の照準装置は、照準装置本体の光源部側側壁にバネ弾力によりミラーレンズ側に弾圧されたレンズホルダー跳ね上げ操作部を左右方向に移動可能に設けてあり、この操作部の内部に設けた係止片とレンズホルダーに設けた係止部との係合によりレンズホルダーを格納位置に係止格納するようにしてあるから、ミラーレンズの格納を確実にする効果がある。
また、本発明照準装置は、上記操作部の内側に設けた係止片の上記ミラーレンズの回動軸側の端面を断面円弧面状としてあり、レンズホルダーの係止部の上記操作部の内部に設けた係止片と対向する接触面を傾斜面としてあるから、ミラーレンズを倒して格納する操作を確実、容易とすることができる効果がある。
【図面の簡単な説明】
【００１４】
【図１】本発明照準装置のミラーレンズを倒して格納させた状態の右側前方から見た斜面図である。
【図２】本発明照準装置のミラーレンズを起立させた状態の右側前方から見た斜面図である。
【図３】本発明照準装置の電池収納部の分解斜面図である。
【図４】本発明照準装置のミラーレンズを倒して格納させた状態の右側後方から見た斜面図である。
【図５】本発明照準装置のミラーレンズを起立させた状態の右側後方から見た斜面図である。
【図６】本発明照準装置のミラーレンズの跳ね上げ操作部の分解斜面図である。
【図７】同上跳ね上げ操作部の裏側を示した拡大分解斜面図である。
【図８】本発明照準装置のミラーレンズと跳ね上げ操作部の断面側面図でミラーレンズの格納状態を示す図である。
【図９】同じくミラーレンズと跳ね上げ操作部の断面側面図でミラーレンズの起立状態を示す図である。
【図１０】同じくミラーレンズと跳ね上げ操作部の断面側面図でミラーレンズを倒して格納する状態を示す図である。
【図１１】同じくミラーレンズの跳ね上げ操作部の拡大横断平面図である。
【図１２】本発明照準装置のミラーレンズを倒して格納状態にあり電源回路のＯＦＦ状態を示す断面側面図である。
【図１３】同じくミラーレンズを起立させ電源回路のＯＮ状態を示す断面側面図である。
【図１４】ミラーレンズの軸支部分の拡大断面図である。
【発明を実施するための形態】
【００１５】
以下、本発明の実施の形態について、詳細に説明する。
図１及び図２にそれぞれ照準装置１の全体を示してあり、この照準装置１は電源部２と光源部３とミラーレンズ４とからなり、図１にミラーレンズ４が倒れて格納部５に格納された状態を示してあり、図２にミラーレンズ４が起立している状態を示してある。
【００１６】
電源部２は、図３に示すように側面に電池出入口６を設け、この電池出入口６の上部に電源部２の上面の切欠き部７を設けてある。電池８は電池載置部に載置して電池出入口６から電源部２に出入するようにしてある。電池載置部９にその外側上部に手掛け部１０を設けてあり、電池８をこの電池載置部９に載せて電源部２に挿入した位置で、手掛け部１０が上記切欠き部７に入り、電池８を電源部２から取り出す際にこの手掛け部１０に手を掛けて容易に引き出すことができるようにしてある。
【００１７】
光源部３には、ＬＥＤからなる発光源が内臓してあり、この光源部３の格納部５に臨ませて開口した投光部１１から起立したミラーレンズ４に向けて発光源からの光を投射するようにしてある。光源部３と窪み部からなる格納部５との間に中段部１２を設けてあり、この中段部１２に照準装置本体１を銃（図示せず）に装着するためのネジ挿通孔１３を設けてある。
【００１８】
ミラーレンズ４はレンズホルダー１４に取り付けてあり、図１４に示すようにこのレンズホルダー１４を窪み部からなる格納部５の電源部２側に横架
して設けた中心軸１５に対して回動するようにしてある。この中心軸１５は、照準装置本体１の両側壁に嵌め込み固定した調整軸１６と軸受１７との間に架設固定してあり、調整軸１６側の中心軸１５の位置に固設したバネ係止部材１８と、軸受１７の中心軸１５の位置に回動可能に嵌装したレンズホルダー１４に連結した回動バネ係止部材１９との間に巻きバネ２０を強固に巻き込んで架設してあり、この巻きバネ２０の復元力によりレンズホルダー１４を跳ね上げ起立するようにしてある。
【００１９】
図４乃至図１１にレンズホルダー操作部２１を示してある。このレンズホルダー操作部２１は照準装置本体１の光源部３側の側壁に設けてあり、この側壁に横長の透孔２２を設け、この透孔２２に、レンズホルダー操作部２１を構成する操作片２３の内側に設けた係止片２４を貫通してこの係止片２４を壁の内側に突出させてあり、この係止片２４を透孔２２に沿って左右に移動するようにしてある。上記操作片２３には表側に操作ボタン２５を突設してある。
この操作ボタン２３を照準装置１の側壁に形成した凹部２６に嵌入して左右に移動するようにしてあり、この操作片２３を保持するため、保持板２７を側壁にネジ止め２８し、操作片２３の操作ボタン２５を保持板２７に形成した透孔２９から外に出してある。
【００２０】
上記レンズホルダー操作部２１には、操作片２３をミラーレンズ４の方向に移動する弾性力を付与するスプリング３０を設けてある。一方、レンズホルダー１４にはミラーレンズ４を格納部５に倒して格納したときに、この格納状態を確保するため、操作片２３の係止片２４と係合する係合部３１を設けてある。即ち、図８に示すように、ミラーレンズ４を倒して格納部５に格納した状態で、操作片２３の係止片２４とレンズホルダー１４の係合部３１が係合している。
【００２１】
操作片２３の操作ボタン２５を図４から図５に示すようにスプリング３０の弾力に抗して右方向に移動すると、操作片２３の係止片２４とレンズホルダー１４の係合部３１との係合が解かれ、レンズホルダー１４及びミラーレンズ４は中心軸１５に巻かれた巻きバネ２０の復元力により跳ね上げられ起立する。
また、ミラーレンズ４及びレンズホルダー１４を手で倒して容易に格納部５に格納するために、操作片２３の係止片２４の中心軸１５側の端面３２を断面円弧状にしてあり、一方のレンズホルダー１４の係止部３１の上記係止片２４と対向する接触面を傾斜面３３としてあり、この係止片２４の端面３２の断面円弧状とレンズホルダー１４の係止部３１の傾斜面３３とにより、ミラーレンズ４及びレンズホルダー１４を倒して格納する際、該係止片２４と該係止部３１との係合を容易にしてある。
【００２２】
次に、図１２及び図１３に、請求項２で示すミラーレンズの起立状態で光源部への通電をＯＮとし、ミラーレンズを倒して格納した状態で光源部への通電をＯＦＦとする構成を示してある。図１２及び図１３に示すように僅かに折曲した板バネ４を設け、その先端に通電をＯＮ，ＯＦＦするための接片３５を設けてある。上記板バネ３４の基端上に照準装置本体１内で上下動し得る操作棒３６を設けてあり、一方、レンズホルダー１４の基部に上記操作棒３６の上端と係合する切欠係止部３７を設け、レンズミラー４及びレンズホルダー１４が跳ね上げ起立したときに、この切欠き係止部３７が上記操作棒３６と係合し、この操作棒３６を押下するようにしてある。この押下により板バネ３４の接片３５を押し上げ、電源部２への通電をＯＮにするようにしてある。
【００２３】
上記の通り、本発明照準装置では、ミラーレンズを倒して照準装置本体の格納部５に格納して、きわめて薄く小型にしたから、照準装置の銃からの突出度合いを小さくし、コンパクトになし得たものである。
【符号の説明】
【００２４】
１  照準装置本体
２  電源部
３  光源部
４  ミラーレンズ
５  格納部
６  電池出入口
７  切欠き部
８  電池
９  電池載置部
１０  手掛け部
１１  投光部
１２  中段部
１３  ネジ挿通孔  
１４  レンズホルダー
１５  中心軸
１６  調整軸
１７  軸受
１８  バネ係止部材  
１９  回動バネ係止部材
２０  巻バネ
２１  レンズホルダー操作部
２２  透孔
２３  操作片
２４  係止片
２５  操作ボタン
２６  凹部
２７  保持板
２８  ネジ止め
２９  透孔
３０  スプリング
３１  係合部
３２  端面
３３  傾斜面
３４  板バネ
３５  接片
３６  操作棒
３７  切欠係止部  
【図１】
2010249339.tif 000003
【図２】
2010249339.tif 000004
【図３】
2010249339.tif 000005
【図４】
2010249339.tif 000006
【図５】
2010249339.tif 000007
【図６】
2010249339.tif 000008
【図７】
2010249339.tif 000009
【図８】
2010249339.tif 000010
【図９】
2010249339.tif 000011
【図１０】
2010249339.tif 000012
【図１１】
2010249339.tif 000013
【図１２】
2010249339.tif 000014
【図１３】
2010249339.tif 000015
【図１４】
2010249339.tif 000016